(57)【要約】【課題】車両用計器盤に関し、表示板の視認性を向上するとともに、照明効果および演出効果を改善する。【解決手段】表示板の裏側に設けられた第１照明装置１４ａ，１４ｂ  による裏面からの照明に加えて、表示板１１の表側に設けられた第２照明装置１５により、表示板１１を表側からも照明する。ここでは、フレーム１０の前面に表示板１１が設けられ、該表示板１１の裏側には計器本体１２、２箇の第１照明装置１４ａ，１４ｂ  、ディジタル表示用液晶表示装置１６および制御装置２０が、それぞれフレーム１０の適宜の位置に固定して設けられ、計器本体１２により駆動されるとともに表示板１１を貫通する回転軸に支持される指針１３が表示板１１の表面に沿って旋回可能に設けられている。また、車両用計器盤１を設置した計器盤パネル５の内部には第２照明装置１５が設けられている。【選択図】      図２
2004157084.tif 000002
【特許請求の範囲】
【請求項１】
目盛および／または文字を透光部とする表示板を、前記表示板の裏側に設けられた第１照明装置により裏面から照明する車両用計器盤の照明方法において、前記表示板の表側に設けられた第２照明装置により、表示板を表側からも照明することを特徴とする車両用計器盤の照明方法。
【請求項２】
前記第１照明装置、前記第２照明装置および旋回する指針の少なくとも一つが複数種類の色により照明可能であることを特徴とする請求項１に記載の車両用計器盤の照明方法。
【請求項３】
前記第１照明装置および前記第２照明装置が相互に異なる色で照明することを特徴とする請求項１または請求項２に記載の車両用計器盤の照明方法。
【請求項４】
少なくとも前記第１照明装置が、点灯時および／または消灯時に、徐々に明るさを変化させて照明することを特徴とする請求項１ないし請求項３に記載の車両用計器盤の照明方法。
【請求項５】
前記第１照明装置および前記第２照明装置が、エンジン点火スイッチ、灯火スイッチおよび扉スイッチの作動により選択的に照明することを特徴とする請求項１ないし請求項４に記載の車両用計器盤の照明方法。
【請求項６】
前記第１照明装置および前記第２照明装置が、エンジン点火スイッチ、灯火スイッチおよび扉スイッチの作動により選択的に照明することを特徴とする請求項１ないし請求項５に記載の車両用計器盤の照明方法。
【請求項７】
目盛および／または文字を透光部とする表示板と、該表示板の裏側に設けられた計器本体とを、フレームに指示固定して構成される車両用計器盤の、前記表示板の裏側に設けられて表示板を裏面から照明する第１照明装置および該第１照明装置に接続された制御装置により構成される照明装置において、前記表示板の前側に表示板を表面から照明する第２照明装置が設けられ、該第２照明装置が前記制御装置に接続して構成されていることを特徴とする車両用計器盤の照明装置。
【請求項８】
前記第１照明装置、前記第２照明装置および旋回する指針の少なくとも一つが複数種類の色の照明装置により構成され、前記制御装置が複数種類の色の照明装置の選択機能を具備していることを特徴とする請求項７に記載の車両用計器盤の照明装置。
【請求項９】
前記第１照明装置および前記第２照明装置が相互に異なる色の照明装置により構成され、前記制御装置が相互に異なる色の選択機能を具備していることを特徴とする請求項７または請求項８に記載の車両用計器盤の照明装置。
【請求項１０】
前記制御装置が少なくとも前記第１照明装置の点灯時および／または消灯時における照度変更機能を具備していることを特徴とする請求項７ないし請求項９に記載の車両用計器盤の照明装置。
【請求項１１】
前記制御装置がエンジン点火スイッチ、灯火スイッチおよび扉スイッチの作動の検出機能および前記第１照明装置および前記第２照明装置の選択機能を具備していることを特徴とする請求項７ないし請求項１０に記載の車両用計器盤の照明装置。
【請求項１２】
前記制御装置がエンジン点火スイッチ、灯火スイッチおよび扉スイッチの作動の検出機能および前記第１照明装置および前記第２照明装置の選択機能を具備していることを特徴とする請求項７ないし請求項１１に記載の車両用計器盤の照明装置。
【発明の詳細な説明】
【０００１】
【発明の属する技術分野】
本発明は、自動車、自走式重機械、自動二輪車等の車両に装備される車両用計器盤の照明方法および照明装置に関する。
【０００２】
【従来の技術】
自動車、自走式重機械、自動二輪車等の車両には、運転状態および車両の状態を示す計器が運転席の前方の運転者が容易に監視できる箇所に配置されている。例えば、乗用自動車の場合は、速度計、回転計、燃料計、水温計、各種警報サイン等が、運転席前方の計器盤パネルに設置された車両用計器盤にまとめて表示されている。また、これらの車両用計器盤は、目盛、文字を表示する表示板および指針が運転者に視認され易いように、照明が行われている。また、運転性、居住性等の装備の充実に伴って、計器盤においても、表示される表示内容および表示板の照明方法について、単なる視認性のみならず、快適な安全運転を実現するための視認の容易性および演出性を充実させる改善が行われている。
【０００３】
従来の車両用計器盤の照明方法および照明装置は、表示板裏側に設けた光源から透過文字だけでなく文字板表面も照明するものもある。（例えば、特許文献１参照）
【０００４】
【特許文献１】
特開２０００−１１１３６４号公報（全頁、全図）
【０００５】
【発明が解決しようとする課題】
従って、従来の照明では、単一の光源で照明を行うのみであるため、照明効果および視認性が高くないものであった。
【０００６】
【課題を解決するための手段】
本発明は以上のような課題を解決するためになされたものであり、本発明による車両用計器盤の照明方法は、目盛および文字を透光部とする表示板と、該表示板を貫通する回転軸に支持されて表示板の表面に沿って旋回する指針とを、前記表示板の裏側に設けられた第１照明装置により裏面から照明する車両用計器盤の照明方法において、前記表示板の表側に設けられた第２照明装置により、表示板を表側からも照明することを特徴とする照明方法である。
【０００７】
詳細には、前記第１照明装置および前記第２照明装置の少なくとも一方が複数種類の色により照明可能であることを特徴とする照明方法である。
【０００８】
詳細には、前記第１照明装置および前記第２照明装置が相互に異なる色で照明することを特徴とする照明方法である。
【０００９】
詳細には、少なくとも前記第１照明装置が、点灯時および／または消灯時に、徐々に明るさを変化させて照明することを特徴とする照明方法である。
【００１０】
詳細には、前記第１照明装置および前記第２照明装置が、エンジン点火スイッチ、灯火スイッチおよび扉スイッチの作動により選択的に照明することを特徴とする照明方法である。
【００１１】
また、本発明による車両用計器盤の照明装置は、目盛および文字を透光部とする表示板と、該表示板の裏側に設けられた計器本体と、該計器本体に駆動されるとともに前記表示板を貫通する回転軸に支持されて表示板の表面に沿って旋回する指針と、をフレームに支持固定して構成される車両用計器盤の、前記表示板の裏側に設けられて表示板を裏面から照明する第１照明装置および該第１照明装置に接続された制御装置により構成される照明装置において、前記表示板の前側に表示板を表面から照明する第２照明装置が設けられ、該第２照明装置が前記制御装置に接続して構成されていることを特徴とする照明装置である。
【００１２】
詳細には、前記第１照明装置および前記第２照明装置の少なくとも一方が複数種類の色の照明装置により構成され、前記制御装置が複数種類の色の照明装置の選択機能を具備していることを特徴とする照明装置である。
【００１３】
詳細には、前記第１照明装置および前記第２照明装置が相互に異なる色の照明装置により構成され、前記制御装置が相互に異なる色の選択機能を具備していることを特徴とする照明装置である。
【００１４】
詳細には、前記制御装置が少なくとも前記第１照明装置の点灯時および／または消灯時における照度変更機能を具備していることを特徴とする照明装置である。
【００１５】
詳細には、前記制御装置がエンジン点火スイッチ、灯火スイッチおよび扉スイッチの作動の検出機能および前記第１照明装置および前記第２照明装置の選択機能を具備していることを特徴とする照明装置である。
【００１６】
【発明の実施の形態】
以下、図面とともに本発明による車両用計器盤の照明方法および照明装置の好適な実施の形態について詳細に説明する。図１は本発明による乗用自動車における車両用計器盤の正面図であり、図２は図１のＩＩ−ＩＩ矢視断面図であり、図３は本発明による車両用計器盤を構成する制御装置のシステムブロック図である。
【００１７】
図１ないし図３において、符号１で示すものは車両用計器盤であり、該車両用計器盤１は、図１に示すように、中央にディジタル表示の速度計およびアナログ表示のエンジン回転計からなる主計器盤２、左側にアナログ表示の燃料計および冷却水温度計からなる第１補助計器盤３、および右側にアナログ表示の前照灯レベル計およびディジタル表示の走行距離計からなる第２補助計器４を配置して構成されている。
【００１８】
各計器は、図２に示すように、フレーム１０の前面に表示板１１が設けられ、該表示板１１の裏側には計器本体１２、２箇の第１照明装置１４ａ、１４ｂ、ディジタル表示用液晶表示装置１６および制御装置２０が、それぞれフレーム１０の適宜の位置に固定して設けられ、前記計器本体１２により駆動されるとともに前記表示板１１を貫通する回転軸に支持される指針１３が表示板１１の表面に沿って旋回可能に設けられている。また、前記車両用計器盤１を設置した計器盤パネル５の内部には第２照明装置１５が設けられている。なお、該第２照明装置１５は、前記表示板１１の前方へ突出する箇所を形成されたフレーム１０に設けられても良い。
【００１９】
前記表示板１１は、半透明材料により構成され、目盛および文字は透光部として形成され、前記第１照明装置１４ａ、１４ｂの点灯時に透過光により目盛および文字が表示されるように構成されている。前記２箇の第１照明装置１４ａ、１４ｂは、異なる色、例えば、白色光と赤色光の照明装置で構成されている。前記指針１３は、前記第１照明装置１４ａ、１４ｂの照明を回転軸部に受けて発光するように構成されている。前記第２照明装置１５は、前記第１照明装置１４ａ、１４ｂとは異なる色、例えば、青色光の照明装置で構成され、さらに異なる２色の照明装置により構成されても良い。２箇の前記第１照明装置１４ａ、１４ｂおよび前記第２照明装置１５は図示しない制御用配線により前記制御装置２０に接続されている。また、該制御装置２０には図示しない制御用配線により、車両のエンジン点火スイッチ、灯火スイッチおよび扉スイッチに接続されている。
【００２０】
図３において、前記制御装置２０は制御部２１、点火検出器２２、灯火検出器２３、扉開閉検出器２４、第１出力可変器２５および第２出力可変器２６により構成され、制御部２１はその他の検出器の一方の端子および可変器の第１端子と接続されている。前記点火検出器２２の他方の端子はエンジン点火スイッチ３２と、前記灯火検出器２３の他方の端子は灯火スイッチ３３と、前記扉開閉検出器２４の他方の端子は扉スイッチ３４と、それぞれ接続されている。前記第１出力可変器２５の第２端子は前記第１照明装置１４ａ、１４ｂと、前記第２出力可変器２６の第２端子は前記第２照明装置１５とそれぞれ接続され、各第３端子はバッテリ３１の陰極に接続されている。前記制御部２１は、入力信号の種類および変化に対応して、出力信号の選択、被出力機器の選択、前記第１出力可変器２５および第２出力可変器２６の作動、および信号出力のタイミングの制御条件を予め設定可能に構成されている。なお、前記エンジン点火スイッチ３２および前記灯火スイッチ３３は前記バッテリ３１の陽極に接続され、前記扉スイッチ３４はバッテリ３１の陰極に接続され、灯火スイッチ３３と前記灯火検出器２３との接続線とバッテリ３１の陰極との間に灯火３５が設けられている。
【００２１】
以上のように構成された車両用計器盤１は以下のように作用する。乗用自動車の扉の開閉、エンジン点火スイッチにおけるキーの差込状態、エンジン点火時、エンジン運転状態およびエンジン停止時、灯火の非点灯状態（昼間）および点灯状態（夜間）等の運転状態の変化に対し、エンジン点火スイッチ３２の状態が点火検出器２２を介して、灯火スイッチ３３の状態が灯火検出器２３を介して、扉スイッチ３４の状態が扉開閉検出器２４を介して、それぞれ制御部２１へ入力される。制御部２１では、予め設定されている制御条件に基づいて各検出器から入力された信号を処理し、被出力機器および出力条件を選択し、第１出力可変器２５および第２出力可変器２６を介して作動信号を出力する。また、第１出力可変器２５および第２出力可変器２６の作動信号を出力する。制御装置２０の作動信号により、第１照明装置１４ａ、１４ｂが裏側から、第２照明装置１５が表側から表示板１１を照明する。
【００２２】
【実施例１】
乗用自動車の車両用計器盤において、昼間の運転時に以下のように作用する。
（１）使用されていない状態の乗用自動車の扉を開けると、無照明状態の車両用計器盤１において、先ず、青色光の第２照明装置１５が点灯し、表示板１１が青色に照明される。
（２）次に、運転席に乗車し、第２照明装置１５が点灯した状態でキーをエンジン点火スイッチに差込みＯＮの位置に回すと、直ちに又は所定時間、例えば０．５秒経過後白色光の第１照明装置１４ａがフェードイン点灯し、徐々に明るくなり、表示板１１を裏面から照明する。第１照明装置１４ａが所定の照度に達した時点またはフェードインが完了した時点で第２照明装置１５が消灯する。すなわち、表示板１１は第２照明装置１５の青色に加えて第１照明装置１４ａの白色が徐々に強くなり、その後青色が消えて白色に照明される。
（３）次に、キーを回してエンジンを起動すると、第１照明装置１４ａが消灯して第２照明装置１５が点灯し、表示板１１が青色に照明される。
（４）次に、エンジンが起動され運転状態になると、直ちに又は所定時間、例えば０．５秒経過後白色光の第１照明装置１４ａがフェードイン点灯し、徐々に明るくなり、表示板１１を裏面から照明する。第１照明装置１４ａが所定の照度に達した時点またはフェードインが完了した時点で第２照明装置１５が消灯する。すなわち、表示板１１は第２照明装置１５の青色に加えて第１照明装置１４ａの白色が徐々に強くなり、その後青色が消えて白色に照明される。運転を継続する間、表示板１１は第１照明装置１４ａにより白色に照明される。
（５）次に、運転を終えてキーをＯＦＦの位置に回しエンジンを停止すると、第１照明装置１４ａが消灯し、表示板１１は無照明状態となる。
（６）次に、下車のため扉を開けると、青色光の第２照明装置１５が設定された一定時間点灯し、表示板１１が青色に照明され、一定時間後第２照明装置１５が消灯し無照明状態となる。
【００２３】
【実施例２】
前記実施例１の昼間の運転時に対し、夜間の運転時には第１照明装置照明が赤色光に変り、以下のように作用する。
（１）実施例１と同様に作用する。
（２）次に、運転席に乗車し、第２照明装置１５が点灯した状態でキーをエンジン点火スイッチに差込みＯＮの位置に回すと、直ちに又は所定時間、例えば０．５秒経過後赤色光の第１照明装置１４ｂがフェードイン点灯し、徐々に明るくなり、表示板１１を裏面から照明する。すなわち、表示板１１は第２照明装置１５の青色に加えて第１照明装置１４ｂの赤色が徐々に強くなり、その後青色点灯した状態で赤色に照明される。
（３）次に、キーを回してエンジンを起動すると、第１照明装置１４ｂが消灯し、表示板１１が青色に照明される。
（４）次に、エンジンが起動され運転状態になると、直ちに又は所定時間、例えば０．５秒経過後赤色光の第１照明装置１４ｂがフェードイン点灯し、徐々に明るくなり、表示板１１を裏面から照明する。すなわち、表示板１１は第２照明装置１５の青色に加えて第１照明装置１４ｂの赤色が徐々に強くなり、その後青色点灯した状態で赤色に照明される。運転を継続する間、表示板１１は第２照明装置１５の青色に加えて第１照明装置１４ｂにより赤色に照明される。
（５）次に、運転を終えてキーをＯＦＦの位置に回しエンジンを停止すると、第１照明装置１４ｂが消灯し、表示板１１は無照明状態となる。
（６）実施例１と同様に作用する。
【００２４】
【実施例３】
前記第１実施例において、停車時の演出効果をさらに向上させ、以下のように作用する。
（１）実施例１と同様に作用する。
（２）実施例１と同様に作用する。
（３）実施例１と同様に作用する。
（４）実施例１と同様に作用する。
（５）次に、運転を終えてキーをＯＦＦの位置に回しエンジンを停止すると、白色光の第１照明装置１４ａがフェードアウト消灯し、徐々に暗くなり、フェードアウトが完了した時点で消灯し、表示板１１は無照明状態となる。
（６）実施例１と同様に作用する。
【００２５】
【実施例４】
前記第２実施例において、停車時の演出効果をさらに向上させ、以下のように作用する。
（１）実施例２と同様に作用する。
（２）実施例２と同様に作用する。
（３）実施例２と同様に作用する。
（４）実施例２と同様に作用する。
（５）次に、運転を終えてキーをＯＦＦの位置に回しエンジンを停止すると、赤色光の第１照明装置１４ｂがフェードアウト消灯し、徐々に暗くなり、フェードアウトが完了した時点で消灯し、表示板１１は無照明状態となる。
（６）実施例２と同様に作用する。
【００２６】
以上において、本発明で最も効果的な照明色設定である第１照明と第２照明とで照明色を互いに補色になるようにすると、第２照明の効果を薄めることがないばかりか、第１照明とのコントラストが最も明確になり、極めて高い効果を奏することができる。そして、車両用計器盤の照明方法および照明装置を乗用自動車について説明したが、本発明は乗用自動車にのみ適用可能なものではなく、自走式重機械、自動二輪車等の車両においても適用され得るものである。
【００２７】
【発明の効果】
本発明による車両用計器盤の照明方法および照明装置は以上のように構成されていることにより、以下のような効果を得ることができる。
（１）照明に相互に異なる２以上の色を使用することにより、演出効果が向上した。
（２）表示板の表側と裏側から異なる色で照明することにより、色が相互に薄められることが無くなり、照明効果が向上し、演出効果が向上した。
（３）表示板の視認を容易にする照明効果および演出効果が向上し、さらに快適な安全運転を実現することが可能になった。
【図面の簡単な説明】
【図１】本発明による車両用計器盤の正面図である。
【図２】図１のＩＩ−ＩＩ矢視断面図である。
【図３】本発明による車両用計器盤を構成する制御装置のシステムブロック図である。
【符号の説明】
１          車両用計器盤
２          主計器盤
３          第１補助計器盤
４          第２補助計器盤
５          計器盤パネル
１０        フレーム
１１        表示板
１２        計器本体
１３        指針
１４        第１照明装置
１５        第２照明装置
１６        液晶表示装置
２０        制御装置
２１        制御部
２２        点火検出器
２３        灯火検出器
２４        扉開閉検出器
２５        第１出力可変器
２６        第２出力可変器
３１        バッテリ
３２        エンジン点火スイッチ
３３        灯火スイッチ
３４        扉スイッチ
３５        灯火
【図１】
2004157084.tif 000003
【図２】
2004157084.tif 000004
【図３】
2004157084.tif 000005